Podtech/llm-jp-corpus-v4-ja_patent huggingface dataset:
(57)【要約】      （修正有）【課題】長物の包装が簡単に出来、包装保管対象物を衛生的に又長期間保管する長物用包装保管具を提供する。【解決手段】横比を１とし縦比を２以上とした長方形の形状を有する長物用包装保管具であって、長物用包装保管具自体に防カビ、防菌加工を施す。【選択図】図１
0003192385.tif 000002
【実用新案登録請求の範囲】
【請求項１】
本考案の長物用包装保管具は、主に一般家庭で使用する絨毯、カーペット、ござ、すだれ、よしず、その他長物を主目的に包装し保管する事を特徴とする長物用包装保管具である。
【請求項２】
本考案の長物用包装保管具の形状は横比１とした場合は、縦比を２以上とし極端な長方形の形状を有し保管具自体に防カビ、防菌加工を施す事により保管対象物を衛生的に又長期間保管出来る事を特徴とする長物用包装保管具である。
【考案の詳細な説明】
【技術分野】
【００１】本考案は、主に一般家庭で使用する絨毯、カーペット、ござ、すだれ、よしず、など長物を包装し保管するための包装用保管具に関するものである。
【背景技術】
【００２】一般家庭で使用する絨毯、カーペット、ござ、すだれ、よしず、などは必要な季節以外では使用しないため、特に絨毯などは専用の業者に頼むか自宅でクリーニングし保管するのであるが、専用の保管具は特にない場合が多く、各々の家庭で収納方法に違いがあり、自宅でクリーニングした後そのまま保管する場合も多々あると思われる。
しかし本考案の長物用包装保管具を使用する事により、簡単に尚且つ衛生的に保管する事が出来る。
【考案の効果】
【００３】本考案の長物用包装保管具を使用する事により長物の包装が簡単に出来、包装保管具自体に防カビ、防菌加工を施す事により包装保管対象物を衛生的に又長期間保管する事を目的とする。
【考案を実施するための形態】
【００４】以下、本考案を実施するための形態について、図面に基づき具体的に説明する。
【００５】図１は本考案の実施例を示すものであり、先ず５の保管物を４の長物用包装保管具に収め３の締め込みラインにより締め込み、密閉状態にする事により保管対象物を保護する。
【図面の簡単な説明】
【図１】平面図
【符号の説明】
【００６】１・・・・・・・・横比は１とする
２・・・・・・・・縦比は２以上とする
３・・・・・・・・締め込みライン
４・・・・・・・・長物用包装保管具
５・・・・・・・・保管物
【図１】
0003192385.tif 000003
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
横比を１とし縦比を２以上とした長方形の形状を有する長物用包装保管具であって、前記長物用包装保管具自体に防カビ、防菌加工を施したことを特徴とする長物用包装保管具。
(57)【要約】      （修正有）【課題】健康を増進する活性水素発生器を提供する。【解決手段】ソケット１から入った電流は、ダイオード４を通りコンデンサー１２の片端、電球のソケット６を通り、電球７を点灯した後電球のソケット６を通り、コンデンサーの片端１３を通り、ソケットの端２に至って電源に入る。電球のソケット６と電線との接点１０、１１に２つの電線８，９を接続し、プラス極８とマイナス極９とする。両電極間の直流電圧は４４Ｖ、電球の交流消費電力３６Ｗで、プラス極８よりマイナス極９に直流電流を放電して、活性水素を発生する。【選択図】図１
0003192389.tif 000002
【実用新案登録請求の範囲】
【請求項１】
５％〜２０％の節電タイプの白熱電球を挿入したソケットの２か所の接点の内の１点にＡ電線とＢ電線、残りの１点にＣ電線とＤ電線を接続し、Ａ電線にダイオードのマイナス極をソケットに向けて直列に接続し、コンデンサーをＣ電線とダイオードのソケットと反対側に接続し、Ａ電線、Ｃ電線の端は交流電源ソケットに至り、Ｄ電線の端はプラス電極となり、Ｂ電線の端はマイナス電極となり交流電源ソケットから入った交流は、ダイオード、コンデンサーで直流となり、５％〜２０％の節電タイプの白熱電球に感応してプラス電極とマイナス電極の間で直流電流を発生し、使用した５％〜２０％の節電タイプの白熱電球、ダイオード、コンデンサー、電球のソケット、電源ソケット、プラス電極、マイナス電極で形成された電気回路で、前記プラス電極とマイナス電極間に直流電流を発生させ、プラス電極からマイナス電極に放電し、活性水素が発生される活性水素発生器。
【考案の詳細な説明】
【技術分野】
【０００１】この考案は健康を増進する器具に関する。
【背景技術】
【０００２】
【特許文献１】登録第３１６８９１１号
【特許文献２】登録第３１７０５５１号
【特許文献３】登録第３１７２５８４号
【特許文献４】登録第３１７３２６３号
【特許文献５】登録第３１８９５０２号
【考案の概要】
【考案が解決しようとする課題】
【０００３】  近年、ストレスの緩和、精神的安定、空気中のゴミの除去作用があるとしてマイナスイオンが着目されているが、五感に容易にその効果が分かる器具はない。マイナスイオンとは酸素イオンの事で、オゾンＯ３である。体中では、活性酸素が悪事をするので、活性酸素を中和して、無害にする為、色々努力するのであるが、Ｏ３も活性酸素なので、マイナスイオンと同じ仲間で、Ｏ３は活性酸素に無力で、体にいい感じを与えないので、活性酸味を中和する活性水素を求めている。【０００４】  本考案は、五感に容易に活性水素の存在を確かめられる為の工夫の開発である。
【課題を解決するための手段】
【０００５】  １０％節電タイプの白熱電球にダイオードとコンデンサーで直流とした電流を流すと、適度の直流電流を発生させ、活性水素が発生されたのである。
【考案の効果】
【０００６】通電１分後に、活性水素開放口に、３ｃｍ近付けて、呼吸をするのに２〜３回の呼吸で、大きな息を自然にし、又肺の奥に、息が届いている様に感じ、あおむけに寝ては今までの活性水素発生器では、大きな息ができなかつたのが大きな息ができる。【０００７】  手の親指で計る血液計で、実年令より１５歳若くなった。【０００８】  腎臓の新陳代謝が大きくなり、体がおだやかになる事がすぐに分かり、クレアニチンの基準値内の数値が容易に最良値になり、１５％低いクレアニテンが正常になり、醗酵アガリクス茸を食べると、この活性は高まる。【０００９】  通じが良くなり１日に数回も下痢する事なく通じがあるようになり、その時には吸引を控えればよい。【００１０】  暑い時でも涼しく感ずる。【００１１】  ５０肩が消えた。【００１２】  活性水素の気流中で大きな呼吸をしたとき片方の肺に異常を感じた場合、簡単に治る。【００１３】  喘息によい。【００１４】  顔のイボにあった黒子の色が消えた。【００１５】  手相の生命線に副生命線のある人が数ヵ月で、之が伸びた。【００１６】  マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し、無害の水として、活性酸素を除去する。【００１７】一晩の吸引で効果は２４時間は持続する。（置場所１ｍ以内．６畳）自覚できる。【００１８】  痔はなをる。
【考案を実施する為の形態】
【００１９】  図面を参照しながら説明します。図１は箱に入った横から見た図で、ソケット１の３から入った電流は、４のダイオード（３０Ｅ１）を通り１２のコンデンサーの片端、電球のソケット６を通り、７の電球を点灯した後電球のソケット６を通り、コンデンサーの片端１３を通り、１のソケットの端２に至って電源に入る。電球のソケット６と電線との接点１０、１１に２つの電線８，９を接続し、８をプラス極とし９をマイナス極として両電極間の直流電圧は４４Ｖ、電球の交流消費電力３６Ｗ、８のプラス極より９のマイナス極に直流電流を放電して、活性水素を発生する。
【図面の簡単な説明】
【００２０】
【図１】活性水素発生器の回路図です。
【符号の説明】
【００２１】  １  電源ソケット  ２  ソケットの先  ３  ソケットの先  ４  ダイオード  ５  コンデンサー  ６  電球のソケット  ７  ５％〜２０％の節電タイプの白熱電球  ８  プラス極  ９  マイナス極１０  プラス極接点１１  マイナス極接点１２  コンデンサーの片端１３  コンデンサーの片端１４  本体箱（外せる）１５  本体箱１７  安定円盤１８  箱固定部
【図１】
0003192389.tif 000003
(57)【要約】      （修正有）【課題】作成者の技術の巧拙の差による仕上がりの違いをなくし、製作に必要な素材をセットにて提供することで、素材を収集する時間を削減できるような抽選箱を提供する。【解決手段】適当な大きさに成型・組立された透明なポリプロピレン等の合成樹脂製の透明な箱２に、適当な大きさに成型・組立された不透明な紙箱１を挿入し、透明な箱２と不透明な紙箱１の隙間に、任意の模様、柄等を印刷した表記用紙３を差し込んだことを特徴とする。【選択図】図１
0003192388.tif 000002
【実用新案登録請求の範囲】
【請求項１】
適当な大きさに成型・組立された透明なポリプロピレン等の合成樹脂製の透明な箱に、適当な大きさに成型・組立された不透明な紙箱を挿入し、透明な箱と不透明な紙箱の隙間に、任意の模様、柄等を印刷した表記用紙を差し込んだことを特徴とする抽選箱。
【考案の詳細な説明】
【技術分野】
【０００１】  本考案は、抽選の結果を示すツールの１種である三角くじ等の抽選券を引く際に、それらを入れるための抽選箱に関するものである。
【従来技術及びその問題点】
【０００２】  従来、オリジナル柄の抽選箱を作成するにあたっては、使用者が箱に紙やシールなどを貼るか、直接箱にペンなどで書いていたが、この方法では、箱の仕上がりの体裁が悪く、かつ接着面に糊づけしたり、箱に貼り付ける作業が非常に面倒で時間を要するという欠点があった。
【０００３】  更に、箱に直接書く場合は書く人の技術によって、箱に貼り付ける場合は貼る人の技術によって、箱の完成度が大きく異なるという問題があった。
【考案の目的】
【０００４】  本考案は、上記のような従来からの問題点を解消するために、ポリプロピレン製等の透明の箱に紙箱を重ねることで隙間を作り、その隙間に好みの柄に印刷された表記用紙を差し込むだけで、所望の箱ができるようにし、作成者の技術の巧拙の差による仕上がりの違いをなくし、製作に必要な素材をセットにて提供することで、素材を収集する時間を削減できるような性質を持つ抽選箱を提供することを目的とするものである。
【考案の構成】
【０００５】  本考案に係る抽選箱は、適当な大きさに成型・組立された透明なポリプロピレン等の合成樹脂製の透明な箱に、適当な大きさに成型・組立された不透明な紙箱を挿入し、透明な箱と不透明な紙箱の隙間に、任意の模様、柄等を印刷した表記用紙を差し込んだことを特徴とするものである。
【考案の作用】
【０００６】  糊やはさみ、シール等、今までオリジナル柄の箱を製作するために必要だった道具を、別途準備、使用することなく、簡単に箱の製作が行え、オリジナルな模様、柄等を付した抽選箱を製作するために素材を収集する時間を大幅に削減できる。
【実施例】
【０００７】  本考案に係る抽選箱について具体的に説明する。図１は、不透明な紙箱が透明な箱に入った状態で、両箱の隙間に任意の柄が印刷された表記用紙を差し込む状態を表す斜視図、図２は、本考案の抽選箱が完成した状態の斜視図である。【０００８】  図１、２において、１は、抽選箱本体となる不透明な紙箱、２は、同紙箱１が収容される透明な箱、３は、任意の模様、柄等を印刷した表記用紙であって、不透明な紙箱１と透明な箱２の間に前記表記用紙３を差し込むことによって本考案の抽選箱が完成するもので、紙箱１の天面の上に好みの柄に印刷された表記用紙４を載せてもよく、透明の箱２と一体の蓋２ー１を不透明の紙箱１の上に被せるように閉じることで、図２のような所望の抽選箱が容易に製作できるものである。
【考案の効果】
【０００９】  以上述べた如く、本考案に係る抽選箱によれば、接着剤を用いることなく好みの模様や柄の抽選箱の製作ができることから、糊やシール等、オリジナル柄の箱を製作するための道具を別途準備する必要がなく、箱の仕上がりの体裁も良くなり、所望の抽選箱製作にかかる時間を削減することが可能である。また箱の製作に必要な素材を予めセットした状態で、提供することで、素材を収集する時間を大幅に削減した。さらにこの製作方法によって、個人の技術への依存度を下げ、箱の製作が容易になる。これらの利便性向上は、箱のさらなる購入、利用を促進することができるものである。
【図面の簡単な説明】
【００１０】
【図１】不透明な紙箱が透明な箱に入った状態で、両箱の隙間に任意の柄が印刷された表記用紙を差し込む状態を表す斜視図である。
【図２】本考案の抽選箱が完成した状態の斜視図である。
【符号の説明】
【００１１】１        不透明の紙箱２        透明の箱３        表記用紙４        表記用紙
【図１】
0003192388.tif 000003
【図２】
0003192388.tif 000004
(57)【要約】      （修正有）【課題】洗濯物をハンガーから取り外す際に、洗濯物を固定していたピンチを収納することが容易にでき、さらに、次に洗濯物を干す時に、ピンチをすぐに使用することができるピンチ収納ハンガーを提供する。【解決手段】掛け部２の頂部にフック３が設けられたハンガーにおいて、フック下部３ａにピンチ収納部４を設ける。前記ピンチ収納部４が舌片４ａから成り、使用しないピンチを、舌片４ａを挟むことによって、フック下部３ａに収納する。舌片４ａが、左右の掛け部２が含まれる平面に含まれ、フック下部３ａの左右両側に設けられる。【選択図】図１
0003192390.tif 000002
【実用新案登録請求の範囲】
【請求項１】
掛け部の頂部にフックが設けられたハンガーにおいて、フック下部にピンチ収納部を設けたピンチ収納ハンガー。
【請求項２】
前記ピンチ収納部が舌片から成り、使用しないピンチを、該舌片を挟むことによって、フック下部に収納することを特徴とする、請求項１記載のピンチ収納ハンガー。
【請求項３】
前記舌片が、左右の掛け部が含まれる平面に含まれ、フック下部の左右両側に設けられたことを特徴とする、請求項２記載のピンチ収納ハンガー。
【考案の詳細な説明】
【技術分野】
【０００１】  この考案は、洗濯物を干す時に使用するハンガーに関する。
【背景技術】
【０００２】洗濯物を干すため、服を掛けておくハンガーを使用することが多い。このようなハンガーとしては、例えば掛け部の頂部にフックが設けられたものが使われている。さらにそれに加えて、ハンガーの下方にズボンやスカート等が掛けられる水平部材が設けられて、全体としてほぼ三角形をなすものなどが市場に提供されている。
【先行技術文献】
【特許文献】
【０００３】
【特許文献１】実開平０６−０７５３８７
【特許文献２】実登３０６５０４４
【考案の概要】
【考案が解決しようとする課題】
【０００４】洗濯物を物干し竿に干すときは、洗濯物をハンガーの掛け部に掛ける。このとき洗濯物がずり落ちないように、ピンチで洗濯物を掛け部に固定することが多い。このときに使用するピンチは、ハンガーの一部分に挟む方法や、専用の容器等に入れるなどの方法で収納されている場合が多い。【０００５】例えば、ハンガーとともにピンチを収納する容器が考案されている。（特許文献１参照）さらに、伸縮性のあるひもを取り付け、その端をハンガーに固定するピンチも考案されている。（特許文献２参照）【０００６】しかし、使用しないピンチをハンガーの一部分に挟んでおく場合は、掛け部やフックに挟むことはできず、挟む場所として適当な場所がない。収納専用の箱等に収納する場合は、ハンガーとは別であるので、洗濯物をハンガーに掛ける度に、ピンチを収納場所から取り出さねばならず面倒である。【０００７】また、ピンチとハンガーをひも等で接続する場合は、従来のピンチが使えないことに加え、製造コストが問題になる。
【課題を解決するための手段】
【０００８】ハンガーのフック下部にピンチ収納部を設ける。ピンチ収納部の例としては、使用していないピンチを挟んでおくことができる舌片状のものが好適である。
【考案の効果】
【０００９】本考案のピンチ収納ハンガーを使用すると、ピンチ収納部が掛け部の近くにあるので、洗濯物をハンガーから取り外す際に、洗濯物を固定していたピンチを収納することが容易にできる。さらに、次に洗濯物を干す時に、ピンチをすぐに使用することができる。【００１０】また、ピンチ収納部はフック部の下部にあり、ピンチを挟みやすい形状であるので、フックの一部分に挟むような使いづらいことはない。
【図面の簡単な説明】
【００１１】
【図１】この考案の請求項３記載のピンチ収納ハンガーに係る斜視図である。
【図２】この考案の請求項３記載のピンチ収納ハンガーの使用状態の斜視図である。
【図３】この考案の請求項３記載のピンチ収納ハンガーにピンチを収納した状態の斜視図である。
【考案を実施するための形態】
【００１２】以下、添付図面を参照しながら、本考案の好ましい実施の一形態について詳述する。
【００１３】図１には、本考案の実施形態の一例を示している。図１に示すピンチ収納ハンガー１は、衣類等が掛けられる掛け部２と、掛け部２の頂部の上方に、掛け部２を支持して吊るすためのフック３を設けている。
【００１４】フック下部３ａとは、鉤状のフック３の下方の直線部を表す。すなわちフック３と掛け部２の頂部との間の部分のことである。請求項１記載のピンチ収納ハンガー１は、このフック下部３ａにピンチ収納部４を設けたものである。
【００１５】フック下部３ａはピンチ収納部４を設けることができるように、十分な長さを確保する。
【００１６】請求項２記載の考案のピンチ収納ハンガー１は、図１のように、ピンチ収納部４を舌片４ａとしたものである。該舌片４ａはピンチ２０を挟むことができる大きさである。さらに、洗濯物を掛け部２に掛けたり取り込んだりするとき、あるいはフックを物干し竿に掛けるときに、ピンチ２０または舌片４ａが洗濯物や物干し竿に支障しないように、前記舌片４ａは、ピンチ１個または２個を挟むことができる大きさが適する。
【００１７】ピンチ収納部４の例としては、舌片４ａの他に、ピンチ２０を引っ掛けるフックなどが考えられる。しかし、簡単に収納と取り出しができるには、前述した舌片４ａが好適である。
【００１８】さらに、ピンチ収納部４の舌片４ａの形状は、図１のような長方形状の他にも半円状など、ピンチ２０を挟むことができる形状ならば他の形状でもよい。
【００１９】請求項３記載のピンチ収納ハンガー１は、本考案の最も好適な場合を表すものであり、図１、図２、図３のように、ピンチ収納部４の舌片４ａが、掛け部２が含まれる平面と同じ平面に含まれるとともに、フック下部の直線部に沿って左右両側に２か所設けられたものである。
【００２０】このようにすると、収納したピンチ２０が掛け部２と同じ向きに向くことになる。また、フック下部の直線部に沿って左右両側に２か所設けたことにより、左右のどちらの掛け部２からもピンチ２０は近い位置にある。したがって、ピンチ２０の収納と取り出し、および洗濯物を掛け部２に固定することを容易にすることができる。
【００２１】なお、ピンチ収納部４の舌片４ａの設置する方向は、前述したような、掛け部２が含まれる平面と同じ平面に含まれる方向の他にも、水平方向に設置してもよい。この場合は、舌片４ａの大きさは、ピンチ１個が挟むことができる最低限の大きさにすることによって、隣り合ったハンガーに収納したピンチ２０が、お互いに絡みにくくすることができる。さらに、舌片４ａの設置する方向については、このような例だけでなく、限定されるものではない。
【００２２】図２は、本考案のピンチ収納ハンガー１を物干し竿１０に掛けた状態を表している。さらに図３は本考案のピンチ収納ハンガー１にピンチ２０を収納した状態を表している。
【符号の説明】
【００２３】１    ピンチ収納ハンガー
２    掛け部
３    フック
３ａ  フック下部
４    ピンチ収納部
４ａ  舌片
５    水平部材
１０  物干し竿
２０  ピンチ
【図１】
0003192390.tif 000003
【図２】
0003192390.tif 000004
【図３】
0003192390.tif 000005
(57)【要約】      （修正有）【課題】マーカーを置くことなく、簡易に、画像による魚の寸法計測を可能にした魚保持具を提供する。【解決手段】魚５を保持する魚保持具１であって、一端側に魚を保持するための保持部を有し、他端側に魚保持具自体を手で持つための把持部３を有し、保持部の表面に、保持部で保持された魚の寸法を計測するための基準寸法となるマーカー４が付されており、保持部によって魚を保持した状態で、魚と一緒にマーカーが映った画像を撮影可能にしたことを特徴とする。【選択図】図２
0003192788.tif 000002
【実用新案登録請求の範囲】
【請求項１】
魚を保持する魚保持具であって、
表面に、寸法計測用のマーカーが付されており、
当該魚保持具によって魚を保持した状態で、魚と一緒に前記マーカーが映った画像を撮影可能なように、構成されている
ことを特徴とする魚保持具。
【考案の詳細な説明】
【技術分野】
【０００１】
本考案は、魚を挟んだり、吊したりなどして保持する魚保持具に関するものである。
【背景技術】
【０００２】
釣りの世界では、釣り上げた魚についてその寸法を計測することがあるが、このような場合、釣り上げた魚をカメラで撮影するとともにその寸法がその場で分かれば、非常に便利である。
【０００３】
特許文献１では、画像を撮影したその場で、被写体の実寸法を手軽に知ることができるカメラ付き電子機器について開示している。カメラ付き電子機器は、ディスプレイに表示された撮影画像において、マーカー画像のサイズを検出し、被写体画像のサイズを検出する。マーカーの実寸法と、検出したマーカー画像のサイズと、検出した被写体画像のサイズとを基にして、被写体の実寸法を算出し、算出した実寸法をディスプレイに表示する。
【先行技術文献】
【特許文献】
【０００４】
【特許文献１】国際公開第２０１３／０９９２７１号
【考案の概要】
【考案が解決しようとする課題】
【０００５】
特許文献１では、魚などの被写体と一緒に小さなマーカーを並べて、画像を撮像している。すなわち、寸法計測のために、魚と別個にマーカーを準備して、並べて置く必要がある。このことは、ユーザからすると煩わしい面があり、もっと簡易な方法によって、画像を用いた寸法計測を行えることが好ましい。
【０００６】
本考案は、かかる点に鑑みてなされたものであり、その目的は、簡易に、画像を用いた魚の寸法計測を可能にすることにある。
【課題を解決するための手段】
【０００７】
本考案の一態様では、魚を保持する魚保持具は、表面に、寸法計測用のマーカーが付されており、当該魚保持具によって魚を保持した状態で、魚と一緒に前記マーカーが映った画像を撮影可能なように、構成されている。
【考案の効果】
【０００８】
本考案によれば、マーカーを準備し、魚と並べて置く必要がないため、画像を用いた魚の寸法計測を、簡易に実行することができる。
【図面の簡単な説明】
【０００９】
【図１】魚保持具の一例の外観図
【図２】図１の魚保持具を用いて魚を保持した状態を示す図
【図３】魚保持具の他の例の外観図
【考案を実施するための形態】
【００１０】
以下、本考案の実施形態を、図面に基づいて詳細に説明する。
【００１１】
図１は実施形態に係る魚保持具１の一例の外観図である。図１の魚保持具１は、魚を挟むための挟み部２と、ユーザが手で持つ把持部３とを備えている。挟み部２を構成する一対の挟み片２ａ，２ｂの間に魚を入れて、ユーザが把持部３を握ることによって、魚を挟んで保持することができる。そして、挟み片２ａ，２ｂの少なくともいずれか一方の表面に、寸法計測用のマーカー４が付されている。すなわち、魚保持具１は、魚を保持した状態で、魚と一緒にマーカー４が映った画像を撮影可能なように構成されている。なお、図１では、マーカー４は正方形であり、挟み片２ａの表面の地の色に対してコントラストのある色、例えば黒色の地に対して白色であるものとする。ただし、マーカー４の形状および色は、これに限定されるものではない。
【００１２】
図２は図１の魚保持具１を用いて魚５を保持した状態を示す図である。図２の状態で、上方から例えばスマートフォンによって魚５を撮影することによって、マーカー４が一緒に映った魚５の画像が得られる。この撮影画像から、例えば特許文献１に開示された方法によって、魚５の寸法を計測することができる。したがって、マーカーを別途準備して魚と並べておく必要がなく、簡易に、画像を用いた魚の寸法計測が可能になる。
【００１３】
図３は実施形態に係る魚保持具１０の他の例の外観図である。図３の魚保持具１０は、魚を吊り下げるための吊り下げ部１１と、ユーザが手で持つ把持部１２とを備えている。吊り下げ部１１において、鈎部１１ａは、ユーザが引き部１１ｂを引くことによって開くように構成されている。鈎部１１ａに魚の口を引っかけて、ユーザが把持部１２を持って魚をぶら下げることによって、魚を吊して保持することができる。そして、吊り下げ部１１の表面に、寸法計測用のマーカー１４が付されている。すなわち、魚保持具１０は、魚を保持した状態で、魚と一緒にマーカー１４が映った画像を撮影可能なように構成されている。なお、図３では、マーカー１４は正三角形であり、吊り下げ部１１の表面の地の色に対してコントラストのある色、例えば黒色の地に対して白色であるものとする。ただし、マーカー１４の形状および色は、これに限定されるものではない。
【００１４】
図３の魚保持具１０を用いて魚をぶら下げて保持した状態で、前方から例えばスマートフォンによって魚を撮影することによって、マーカー１４が一緒に映った魚の画像が得られる。この撮影画像から、例えば特許文献１に開示された方法によって、魚の寸法を計測することができる。したがって、マーカーを別途準備して魚と並べておく必要がなく、簡易に、画像を用いた魚の寸法計測が可能になる。
【符号の説明】
【００１５】
１  魚保持具
４  マーカー
１０  魚保持具
１４  マーカー
【図１】
0003192788.tif 000003
【図２】
0003192788.tif 000004
【図３】
0003192788.tif 000005
【手続補正書】
【提出日】平成26年6月27日(2014.6.27)
【手続補正１】
【補正対象書類名】実用新案登録請求の範囲
【補正対象項目名】全文
【補正方法】変更
【補正の内容】
【実用新案登録請求の範囲】
【請求項１】
魚を保持する魚保持具であって、
一端側に魚を保持するための保持部を有し、他端側に魚保持具自体を手で持つための把持部を有し、
前記保持部の表面に、該保持部で保持された魚の寸法を計測するための基準寸法となるマーカーが付されており、
前記保持部によって魚を保持した状態で、当該魚と一緒に前記マーカーが映った画像を撮影可能にした
ことを特徴とする魚保持具。
(57)【要約】      （修正有）【課題】折りたたみ式車いすへの脱着が可能で、利用者の乗降によってブレーキがかかる・解除できる脱着可能なブレーキ装置を提供する。【解決手段】折りたたみ式車いすに、吊り下げ金具５と固定用金具６を用いて固定するブレーキ装置であり、吊り下げ金具５と固定用金具６は、フレーム７の両側に備えられ、フレーム７の両側には、スライドレール８とリニア台９を介してブレーキ棒４が左右に運動可能に備えられ、折りたたみ式車いすの座部に加わっていた力が除かれると、ブレーキ棒４がフレーム７から飛び出すことにより、折りたたみ式車いすの車輪のスポークに入り込み、ブレーキがかかることを特徴とした。【選択図】図１
0003192749.tif 000002
【実用新案登録請求の範囲】
【請求項１】
座部上部に加わっていた力が除かれると、両輪の回転を阻止するブレーキが作動し、座部上部に圧力が加わると、アームが外側へ動き出し、ブレーキ棒が車いすの車輪スポークから外れ、ブレーキが解除される特徴を持つ、脱着可能車いす自動ブレーキ装置。
【考案の詳細な説明】
【技術分野】
【０００１】  本考案は、折りたたみ車いすに脱着可能な車いす自動ブレーキ装置に関するものである。
【背景技術】
【０００２】  車いすのブレーキは、通常肘掛け前方にレバーがあり、それを動かすことによりタイヤを固定するものである。車いすを利用することが多い高齢者はブレーキをかけ忘れて立ち上がることがある。その反動で車いすが移動したことに気づかず再び座ろうとしたときに転倒し事故につながるケースが多く報告されている。高齢者の怪我はその後の生活に大きな影響を及ぼすことが多く、福祉施設でも大きな問題となっている。
【考案の開示】
【考案が解決しようとする課題】
【０００３】  しかしながら、自動ブレーキ装置が備わっている車いすは高価で、高齢化が進み施設利用者も増加する現状では施設の負担が大きく、多くの利用者に提供できない。
本考案は、上記のような課題に鑑み、その課題を解決すべく考案されたものであって、その目的とするところは、福祉施設等で多く使用されている一般的な折りたたみ式車いすへの脱着が可能で、利用者の乗降によってブレーキがかかる・解除できる自動ブレーキ装置を提供することにある。
【課題を解決するための手段】
【０００４】  本考案の自動ブレーキ装置は、折りたたみ式車いすのフレームの間に誰でも簡単に脱着できることを特徴とする。【０００５】  また、使用者が車いすの座面を座ることにより押し続けるとブレーキ装置が外れ、走行が可能になることを特徴とする。【０００６】  また、使用者が車いすから立ち上がり、座面から力が除かれると、ブレーキ装置が解除されることを特徴とする。【０００７】  また、本装置は荷重が座面に働いたときに作動することを特徴とする。【０００８】  また、ブレーキの左右への運動は滑らかな動きと安定性を待つことを特徴とする。【０００９】  また、本装置は、車いすの座面を支えるパイプに取り付け、下方は車いす本体の下部にあるパイプに取り付ける構造になっていることを特徴とする。【００１０】  また、座面は使用者の座り心地を向上させたことを特徴とする。【００１１】  また、機械式でブレーキの作動を行うため、使用する場所を限定しないことを特徴とする。
【考案の効果】
【００１２】  本装置は、折りたたみ式車いすへの脱着が容易で、機械式で作動するため災害現場や外出先でも電力を気にすることなく提供できる。【００１３】  また、座面への荷重でブレーキ装置が作動するため、座るだけで装置の機能を提供することができる。
【考案を実施するための最良の形態】
【００１４】  以下、本考案を実施するための最良の形態について、説明する。【００１５】  フレーム（▲７▼）に吊り下げ用金具（▲５▼）と固定用金具（▲６▼）を取り付け、本装置と車いすを結合させる。【００１６】  フレーム（▲７▼）にスライドレール（▲８▼）を固定し、▲９▼、▲３▼、▲２▼、▲９▼と取り付け、その上に上部のスライドレール（▲１▼）を固定し、本装置を構成する。【００１７】  スライドレール（▲１▼▲８▼）には２つのリニア台（▲９▼）を組み込むことで省スペース化を図り、滑らかなブレーキ装置の作動を行うことができる。【００１８】  リニア台（▲９▼）に▲３▼を取り付け、その間にブレーキ棒（▲４▼）を▲３▼に固定する。そのとき、ブレーキ棒の太さよりも余裕を持たせ、スペーサーで▲３▼と▲９▼にスペースを作る。【００１９】  ▲２▼に座面と装置の高さを考慮し、ばねを取り付ける。【００２０】  ▲１▼に図２を取り付ける。【００２１】  ▲１▼▲４▼▲５▼▲７▼▲８▼▲９▼はステンレス鋼とし、▲２▼▲３▼▲６▼についてはアルミ材または、その他の金属でもよい。
【図面の簡単な説明】
【図１】車いす自動ブレーキ装置の外観図である。
【図２】車いす自動ブレーキ装置の座部の部品図である。
【図１】
0003192749.tif 000003
【図２】
0003192749.tif 000004
【手続補正書】
【提出日】平成26年3月17日(2014.3.17)
【手続補正１】
【補正対象書類名】実用新案登録請求の範囲
【補正対象項目名】全文
【補正方法】変更
【補正の内容】
【実用新案登録請求の範囲】
【請求項１】
車いすから立ち上がるとブレーキ棒▲４▼が車輪のスポークに入り込み、ブレーキがかかることを特徴とした脱着可能なブレーキ装置。
【手続補正書】
【提出日】平成26年6月12日(2014.6.12)
【手続補正１】
【補正対象書類名】実用新案登録請求の範囲
【補正対象項目名】全文
【補正方法】変更
【補正の内容】
【実用新案登録請求の範囲】
【請求項１】
折りたたみ式車いすに、吊り下げ金具（５）と固定用金具（６）を用いて固定するブレーキ装置であり、
前記吊り下げ金具（５）と前記固定用金具（６）は、フレーム（７）の両側に備えられ、
前記フレーム（７）の両側には、スライドレール（８）とリニア台（９）を介してブレーキ棒（４）が左右に運動可能に備えられ、
前記折りたたみ式車いすの座部に加わっていた力が除かれると、前記ブレーキ棒（４）が前記フレーム（７）から飛び出すことにより、前記折りたたみ式車いすの車輪のスポークに入り込み、ブレーキがかかることを特徴とした、脱着可能なブレーキ装置。
(57)【要約】      （修正有）【課題】風呂、プール等の洗浄で、シャワーヘッド、ヘッドに取り付ける事に寄り、洗剤洗浄、濯ぎが一度で手間が省ける洗浄用具を提供する。【解決手段】伸縮性シリコンゴム１に５ｍｍ間隔に丸穴２ｍｍを施し、穴に長さ３ｃｍ程の洗浄用ブラシ毛２を２０本程丸穴に施し、施工した伸縮性シリコンゴム１の周りに伸縮性シリコンテープ３を接着、両端に面ファースナーを取り付けるものと、伸縮性シリコンゴムにシャワーヘッド口に応じたサイズで、５ｍｍ間隔に丸穴２ｍｍを施し，吸水スポンジに伸縮性シリコンゴム１に合わせ丸穴を施し、伸縮性シリコンゴム１と吸水スポンジを接着、周りに伸縮性シリコンテープ３を接着両端に面ファースナーを取り付けるもの。【選択図】図１
0003192750.tif 000002
【実用新案登録請求の範囲】
【請求項１】
（公序良俗違反につき、不掲載）（伸縮性シリコン）を用い用途に応じ、形大きさを施工し、施工した（公序良俗違反につき、不掲載）に、適宜に穴を施工し、施工した穴に４ｃｍ長さ程度の洗浄用ブラシ毛２０本程、穴の間隔を決め穴に施工。施工した（公序良俗違反につき、不掲載）（伸縮性シリコン）を施工、両端に、ベルクロ（マジックテープ）を適宜適切に取り付ける事。材料はこの限りでない。
【請求項２】
（公序良俗違反につき、不掲載）（伸縮性シリコン）を用い用途に応じて、形大きさを施工し、施工した（公序良俗違反につき、不掲載）に、適宜に穴を施工、吸水スポンジを（公序良俗違反につき、不掲載）（伸縮性シリコン）に合わせ穴を施工し、施工した（公序良俗違反につき、不掲載）と吸水スポンジを接着、周りに（公序良俗違反につき、不掲載）（伸縮性シリコン）を施工、両端にベルクロ（マジックテープ）を適宜適切に取り付ける事。材料はこの限りでない。
【考案の詳細な説明】
公序良俗違反のため、不掲載とする。
【図１】
0003192750.tif 000003
【図２】
0003192750.tif 000004
【図３】
0003192750.tif 000005
【図４】
0003192750.tif 000006
【手続補正書】
【提出日】平成26年4月14日(2014.4.14)
【手続補正１】
【補正対象書類名】実用新案登録請求の範囲
【補正対象項目名】全文
【補正方法】変更
【補正の内容】
【実用新案登録請求の範囲】
【請求項１】
伸縮性シリコンゴムを形状の異なるシャワーヘッド口に応じたサイズ５ｍｍ間隔に丸穴２ｍｍを施し、長さ３ｃｍ程の洗浄用ブラシ毛２０本程丸穴に施し、施工した伸縮性シリコンゴムの周りに伸縮性シリコンテープを接着両端に面ファースナーを取り付ける事を特徴とする洗浄用具。
【請求項２】
伸縮性シリコンゴムを形状の異なるシャワーヘド口に応じたサイズで、５ｍｍ間隔に丸穴２ｍｍを施し，吸水スポンジに伸縮性シリコンゴムに合わせ丸穴を施し、伸縮性シリコンゴムと吸水スポンジを接着、周りに伸縮性シリコンテープを接着両端に面ファースナーを取り付ける事を特徴とする洗浄用具。
【手続補正２】
【補正対象書類名】明細書
【補正対象項目名】全文
【補正方法】変更
【補正の内容】
【考案の詳細な説明】
【技術分野】
【０００１】風呂、プール等の洗浄を、洗剤洗浄シャワー洗浄に於いて２度工程を１度工程にと図った物である。
【背景技術】
【０００２】現時点に於いて、風呂、プール等の洗浄は、洗剤洗浄、シャワー洗浄と２度洗浄と無駄が有る。
【先行技術文献】
【特許文献】
【特許文献】形状の異なるシャワーヘッド、ヘッドに取り付け可能な伸縮性シリコンゴムに施した洗浄用ブラシ、伸縮性シリコンゴムに施した吸水スポンジ。
【特許文献１】
【特許文献２】
【非特許文献】
【非特許文献】シャワーヘッド元ホースにポールをセット施すとする。
【非特許文献１】
【考案の概要】
【考案が解決しようとする課題】風呂、プール等の洗浄を、洗剤洗浄、シャワー洗浄と２度の必要性に対する事柄。
【課題を解決するための手段】本考案は、上記目的を達成するために形状の異なるシャワーヘッド口に応じたサイズで、伸縮性シリコンゴムに５ｍｍ間隔に丸穴２ｍｍを施し、穴に長さ３ｃｍ程の洗浄用ブラシ毛２０本程丸穴に施し、施工した伸縮性シリコンゴムの周りに伸縮性シリコンテープを接着、両端に面ファースナーを取り付けるものと、伸縮性シリコンゴムにシャワーヘッド口に応じたサイズで、５ｍｍ間隔に丸穴２ｍｍを施し，吸水スポンジに伸縮性シリコンゴムに合わせ丸穴を施し、伸縮性シリコンゴムと吸水スポンジを接着、周りに伸縮性シリコンテープを接着両端に面ファースナーを取り付けるもの。
【考案の効果】風呂、プール等の洗浄に於いて、シャワーヘッドに上記の考案した洗浄用ブラシ及び、吸水スポンを取り付ける事に寄り、洗剤洗浄、濯ぎが一度で手間が省ける。
【図面の簡単な説明】
【図１】  洗浄用具シャワーセットの平面図。
【図２】  洗浄用具シャワーセットの断面図。
【図３】  洗浄用具シャワーセット吸水スポンジの平面図。
【図４】  洗浄用具シャワーセット吸水スポンジカバーの断面図。
【考案を実施するための形態】
従来の風呂、プール等の洗浄は２度の洗浄を要するが為。
【実施例】洗浄用具を取り付ける事に寄り、風呂、プール等の洗浄が一度で済みロスが解消される。
【産業上の利用可能性】量産化出来サイズも多種、多様化利用の可能性可
【符号の説明】  ［１］    伸縮性シリコンゴム
［２］    洗浄用ブラシ毛
［３］    伸縮性シリコンテープ
［４］    面ファースナー
［５］    洗浄用吸水スポンジ
【手続補正書】
【提出日】平成26年6月17日(2014.6.17)
【手続補正１】
【補正対象書類名】実用新案登録請求の範囲
【補正対象項目名】全文
【補正方法】変更
【補正の内容】
【実用新案登録請求の範囲】
【請求項１】
伸縮性シリコンゴムを形状の異なるシャワーヘッド口に応じたサイズで、５ｍｍ間隔に丸穴２ｍｍを施し、長さ３ｃｍ程の洗浄用ブラシ毛を丸穴に埋め込み、施工した伸縮性シリコンゴムの周りに伸縮性シリコンテープを接着し、両端に面ファスナーを取り付ける事を特徴とする洗浄用具。
【請求項２】
伸縮性シリコンゴムを形状の異なるシャワーヘッド口に応じたサイズで、５ｍｍ間隔に丸穴２ｍｍを施し、吸水スポンジに伸縮性シリコンゴムに合わせ丸穴を施し、伸縮性シリコンゴムと吸水スポンジを接着、周りに伸縮性シリコンテープを接着し、両端に面ファスナーを取り付ける事を特徴とする洗浄用具。
(57)【要約】      （修正有）【課題】結婚式等において、大量の祝儀袋の処理を簡易化する折りたたみ式のし袋を提供する。【解決手段】開封のための切り口としておもて面上部にミシン目を設け開封時には左右どちらからでも開封可能としたことを特徴とする。【選択図】図１
0003192769.tif 000002
【実用新案登録請求の範囲】
【請求項１】
開封のための切り口として、おもて面にミシン目を設け、開封時には左右どちらからでも開封可能な折りたたみ式のし袋です。、付属の中袋ものりしろ部分を利用してミシン目を設け、開封時には左右どちらからでも開封可能なものです
【考案の詳細な説明】
【技術分野】
【０００１】本実用新案は、のし袋のおもて面を利用しての開封に関するものである【０００２】従来は、水引をはずして開封を行っていた
【先行技術文献】
【０００３】
【実用新案が解決しようとする課題】
【０００４】結婚式等において、大量の祝儀袋の処理ははさみやナイフなど道具を使用して対応していた。また、水引のついた折りたたみ式のものは、水引をはずして、確認ののち、また、たたんで水引を元に戻しての対処を行っており、その処理作業は大変なものでした
【問題を解決する手段】
【０００５】従来の水引をはずしての開封ではなく、開封のための切り口としておもて面を利用してミシン目を設け、開封時は左右どちらからも開封可能にした折りたたみ式のし袋です。
【図面の簡単な説明】
【０００６】
【図１】祝儀袋のおもて面
【図２】納入前の中袋の裏面
【図３】は、祝儀袋開封時
【図４】は、中袋開封時
【実用案を実施するための形態】
【０００７】実用新案を実施するための構造は、おもて面を利用して開封のための切り口としてミシン目を設けた折りたたみ式ののし袋で、ＡからＢ、ＢからＡと矢印の方向へ引いて開封する。作用としては、右利き、左利きの関係なく開封のための切り口としてのミシン目に沿って開封する。また、中袋に関しても、裏面のりしろを利用しての、開封のための切り口としてのミシン目を設け、ＣからＤ、ＤからＣと矢印の方向へと引いて開封を行う。
【符号の説明】Ａ  左からの開け口    Ｂ  右からの開け口
Ｃ  左からの開け口    Ｄ  右からの開け口    Ｅ  のりしろ
【図１】
0003192769.tif 000003
【図２】
0003192769.tif 000004
【図３】
0003192769.tif 000005
【図４】
0003192769.tif 000006
【手続補正書】
【提出日】平成26年6月13日(2014.6.13)
【手続補正１】
【補正対象書類名】実用新案登録請求の範囲
【補正対象項目名】全文
【補正方法】変更
【補正の内容】
【実用新案登録請求の範囲】
【請求項１】
開封のための切り口としておもて面上部にミシン目を設け開封時には左右どちらからでも開封可能な折りたたみ式のし袋
【手続補正２】
【補正対象書類名】明細書
【補正対象項目名】全文
【補正方法】変更
【補正の内容】
【考案の詳細な説明】
【技術分野】
【０００１】本実用新案は、のし袋のおもて面上部を利用しての開封に関するものである【０００２】従来のものは水引をはずして開封を行っていた
【先行技術文献】
【０００３】
【実用新案が解決しようとする課題】
【０００４】結婚式等で大量の祝儀袋の処理は、水引のついた折りたたみ式のものは水引をはずして確認ののち、たたんで水引を元に戻しての対処を行っておりその作業はたいへんなものでした
【問題を解決する手段】
【０００５】従来の水引をはずしての開封ではなく、開封のための切り口としておもて面上部を利用してミシン目を設け、開封時には左右どちらからでも開封を可能にした折りたたみ式のし袋
【図面の簡単な説明】
【０００６】
【図１】祝儀袋  おもて面
【図２】祝儀袋  開封時
【本実用を実施するための形態】
【０００７】本実用新案を実施するための構造は、おもて面上部を利用して開封のための切り口としてミシン目を設けた折りたたみ式のし袋で、ＡからＢ、ＢかＡと矢印の方向へ引いて開封する。さようとしては、右利き、左利きの関係なく開封のための切り口としてのミシン目にそって開封をする。
【符号の説明】
【０００８】Ａ  左からの開け口
Ｂ  右からの開け口
【手続補正３】
【補正対象書類名】図面
【補正対象項目名】全図
【補正方法】変更
【補正の内容】
【図１】
0003192769.tif 000007
【図２】
0003192769.tif 000008
(57)【要約】      （修正有）【課題】樹液シートに含まれる血行促進の成分とそれを加温して血行促進効果の相乗効果で患部の血行促進及び温熱効果を体感できる足裏専用発熱シートを提供する。【解決手段】鉄の酸化熱を利用した使い捨てカイロであって、木酢液、竹酢液、漢方原料粉末および植物粉末を包含する樹液シート２とを備え、当該カイロは当該樹液シートよりも大きくしたことを特徴とする足裏専用発熱シート１を備える。【選択図】図３
0003192761.tif 000002
【実用新案登録請求の範囲】
【請求項１】
鉄の酸化熱を利用した使い捨てカイロと、木酢液、竹酢液、漢方原料粉末、植物粉末等の樹液シートとを備え、カイロは樹液シートよりも大きくしたことを特徴とする足裏専用発熱シート。
【考案の詳細な説明】
【技術分野】
【０００１】  本考案は、温熱効果で樹液シートの効能及び健康効果をより一層引き出す足裏専用発熱シートに関するものである。また、体感的にも温熱効果を感じられるようにしたものである。
【背景技術】
【０００２】  従来、この種のシートとしては特許文献１のようなものが知られている。
血行促進シート（樹液シート）とミニカイロがセットになっているものがあるが、ミニカイロのサイズが血行促進シート（樹液シート）よりも小さく、ミニカイロによる血行促進シート（樹液シート）の加温効果はあるとされているが体感的に温熱効果を感じるには乏しいものがある。
【先行技術文献】
【特許文献】
【０００３】
【特許文献１】実用新案登録第３１３３０３９号公報
【考案の概要】
【考案が解決しようとする課題】
【０００４】  本考案はこのような課題を解決し、血行促進効果に優れている足裏専用発熱シートを提供する。
【課題を解決するための手段】    本考案は、鉄の酸化熱を利用した使い捨てカイロと、木酢液、竹酢液、漢方原料粉末、植物粉末等の樹液シートとを備え、カイロは樹液シートよりも大きくした。【０００５】
【考案の効果】
【０００６】  本考案は、以上のように構成したことで温熱効果を得られ易い。
【図面の簡単な説明】
【０００７】
【図１】本考案に用いる使い捨てカイロを示す正面図である。
【図２】本考案に用いる樹液シートを示す正面図
【図３】本考案による使い捨てカイロと樹液シートを実際に使用した状態を示す側面図である。
【考案を実施するための形態】
【０００８】図１において、１は足裏樹液シート専用に開発した専用発熱シートである。４は剥離シート、５は発熱体、７は剥離シートに設けられたミシン目であり、これらは使い捨てカイロとして知られている。
【０００９】足裏シート専用発熱シート１は外形が９５ｍｍ×７０ｍｍで鉄粉、水、活性炭、バーミキュライト、塩類を不織布で出来た袋内に包括させ使用時に酸素と反応させ酸化熱を利用して温めるカイロである。不織布と通気性複合フィルムの面と非通気性複合フィルムと粘着剤を貼付けてある面がある。市販されている、衣類に貼り付けて使用する使い捨てカイロと同じようなものを、足裏樹液シート専用に開発したものである。
未使用時は粘着面を非通気性複合フィルム製の剥離シートで被覆してあり、さらに特殊フィルムで個包装され酸素に反応しないように密閉されている。剥離シートは使用時に容易に剥離しやすいように中央にミシン目７を入れてある。
【００１０】  図２において、２は木酢液、竹酢液、漢方原料粉末、植物粉末、化粧品原料粉末等の有効成分を不織布製の袋に包括してある足裏樹液シートである。３は片面粘着タイプの固定シートで通常は剥離シート６で被覆してある。使用し易いようにあらかじめ中央に足裏樹液シート２を固定して一体型にしてあり、その上から剥離シート６で被覆してある。
【００１１】足裏樹液シート２は体を温め、冷え性やむくみを緩和するなどの健康効果のある木酢液、漢方原料、植物粉末をはじめ、イオン効果、遠赤外線効果のある天然鉱物原料、保湿効果、酸化防止効果のある粉末原料ラックス効果・癒し効果を目的とする香料、アロマエッセンス等の原料を目的に応じて選定して、紛体混合させ均一に調整した粉末を吸収性の高い不織布の中に包括して使用することが有効である。
【００１２】片面粘着固定シート３のサイズは９５ｍｍ×１２０ｍｍで使用時にはワンタッチで簡単に使用しやすいようにあらかじめ２の樹液シート２を中央部分に貼り付け一体型にしてあり、通常は剥離シート６にて被覆してある。
【００１３】図３に示すように、実際に使用する足裏専用温熱シート１の外形は９５ｍｍ×７０ｍｍとし、足裏樹液シート２の外形６５ｍｍ×８０ｍｍより大きくすることにより温熱効果を高まるように調整してある。
足裏樹液シート２の配合例として体を温め、冷え性やむくみを緩和するなどの健康効果のある木酢液、竹酢液、漢方原料粉末、植物粉末のケイヒ末、どくだみ末、びわ末、唐辛子末、スギナ末、アロエ末天然鉱物原料粉末のトルマリンパウダー、遠赤パウダー保湿剤、酸化防止剤のキトサン、ビタミンＣ、香料粉末等の原料から必要に応じて選定して紛体混合させ均一に調整した粉末を吸収性の高い不織布の中に包括して使用する事が有効である。
【００１４】粘着固定シート３に足裏樹液シート２を粘着固定したものを２枚と個包装した足裏樹液シート専用温熱シート２枚を１回分としてアルミ製の袋に包装してある。１回分もしくは複数回分を外袋または外箱に包装しておくものとする。
【００１５】足裏樹液シート２は、足裏樹液シート専用発熱シート１よりサイズを小さくする事で温熱効果を得やすい形態にしてあり、この事により足裏樹液シートの有効成分の効果を高め、さらに冷え性やむくみを緩和する健康効果を得られる。
【００１６】簡単に足の裏へ貼りやすいようにあらかじめ、固定シート３の中央に足裏樹液シート２を粘着固定して一体化しておき、その上から剥離シートで被覆してあり、使用時には剥離シートをめくりワンタッチで足の裏へ貼れるようにしてある。
さらに足裏樹液シート専用発熱シート１を専用特殊フィルムから取出して剥離シートをはがして、順次貼りつけて使用する。
【符号の説明】
【００１７】１  足裏樹液シート専用発熱シート
２  足裏樹液シート
３  片面粘着タイプ固定シート
４  剥離シート
５  発熱体
６  剥離シート
７  剥離シートミシン目
【図１】
0003192761.tif 000003
【図２】
0003192761.tif 000004
【図３】
0003192761.tif 000005
【手続補正書】
【提出日】平成26年6月17日(2014.6.17)
【手続補正１】
【補正対象書類名】実用新案登録請求の範囲
【補正対象項目名】全文
【補正方法】変更
【補正の内容】
【実用新案登録請求の範囲】
【請求項１】
鉄の酸化熱を利用した使い捨てカイロと、木酢液、竹酢液、漢方原料粉末および植物粉末を包含する樹液シートとを備え、当該カイロは当該樹液シートよりも大きくしたことを特徴とする足裏専用発熱シート。